(57)【要約】      （修正有）【課題】十分なクッション性と高い水蒸気透過性を有し、構造の簡単なクッション層を有するスチームアイロン台を提供する。【解決手段】アイロン掛けを行う面材部と、面材部に配設された脚１８とを備えた基台２４、及び基台２４の面材部を被覆するカバー材２２とからなり、カバー材２２は第１の多孔性基布層、第２の多孔性基布層及び第１の多孔性基布層２４と第２の多孔性基布層との間に立設された柱状配列糸状層とからなる高通気性のクッション性基布からなるスチームアイロン台１０とする。【選択図】図１
0003130563.tif 000002
【実用新案登録請求の範囲】
【請求項１】
アイロン掛けを行う面材部と、前記面材部に配設された脚とを備えた基台、及び前記基台の面材部を被覆するカバー材とからなり、
前記カバー材は第１の多孔性基布層、第２の多孔性基布層及び前記第１の多孔性基布層と第２の多孔性基布層との間に立設された柱状配列糸状層とからなる高通気性のクッション性基布からなることを特徴とするスチームアイロン台。
【請求項２】
前記第１の多孔性基布層は、直径が０．５〜２．５ｍｍの円又は短軸長さが０．５〜２ｍｍの略楕円形の穴が規則的に形成された織物又は編物であることを特徴とする請求項１記載のスチームアイロン台。
【請求項３】
前記第１の多孔性基布層が編物であり、前記第２の基布層がメリヤス編物であることを特徴とする請求項２記載のスチームアイロン台。
【請求項４】
前記柱状配列糸状層の厚さが１〜３ｍｍであることを特徴とする請求項１〜３のいずれかに記載のスチームアイロン台
【請求項５】
前記カバー部材が、前記第１の多孔性基布層、前記第２の多孔性基布層及び前記柱状配列糸状層を同一の糸状にて２重組織により構成されたものであることを特徴とする請求項１〜４のいずれかに記載のスチームアイロン台。
【考案の詳細な説明】
【技術分野】
【０００１】
本考案は、スチーム透過性に優れたスチームアイロン台に関するものである。
【背景技術】
【０００２】
スチームアイロン台は、アイロンがけをした場合にアイロンより噴出するスチームが速やかに裏面に排出されることが望ましく、そのためにスチームアイロン台においては、アイロンを圧接してアイロンがけをする面材部をメッシュ状の金属材料、パンチングメタル、パンチングメタル状の多孔性構造の樹脂板等の水蒸気を裏面に透過させる作用を有する構成とし、その上に綿状の繊維層や不織布層をクッション性を有するカバー材として設けたスチームアイロン台が公知である（例えば特許文献１）。
【０００３】
【特許文献１】特開２００３−２４７００号公報（図１、段落００１２）
【考案の開示】
【考案が解決しようとする課題】
【０００４】
しかし、アイロン台の面材部を蒸気透過性良好に構成した上記特許文献１に開示されたスチームアイロン台であっても、そのカバー材の構成はクッション材となる不織布と表面材となる織物を積層するものであり、２種の材料を準備する必要があり、また組み立ても工数が多いものであった。またアイロン台を十分な蒸気透過性を有するようにするには、不織布層をの厚さを薄くしなければならず、そうするとクッション性が低下し、十分なクッション性を有するものとするとクッション層の蒸気透過性が低下するという問題を有するものでもあった。
【０００５】
本考案は、上記公知技術の問題点に鑑みて十分なクッション性と高い水蒸気透過性を有し、構造の簡単なクッション層を有するスチームアイロン台を提供することを目的とする。
【課題を解決するための手段】
【０００６】
本考案のスチームアイロン台は、アイロン掛けを行う面材部と、前記面材部に配設された脚とを備えた基台、及び前記基台の面材部を被覆するカバー材とからなり、
前記カバー材は第１の多孔性基布層、第２の多孔性基布層及び前記第１の多孔性基布層と第２の多孔性基布層との間に立設された柱状配列糸状層とからなる高通気性のクッション性基布からなることを特徴とする。
【０００７】
上記構成のスチームアイロン台は、アイロンがけにおいて十分なクッション性を有すると同時に高い水蒸気透過性を有するクッション層を有し、構造の簡単なクッション層を有するスチームアイロン台である。柱状配列糸状層は、糸状が厚さ方向に立設されているために基布の厚さ方向と幅方向の通気性が極めて大きく、またこの糸状がバネの作用を奏することからクッション性にも優れた層を構成し、そのため該基布をカバー材として使用することにより、優れた水蒸気透過性とクッション性とを兼ね備えたスチームアイロン台が構成される。
【０００８】
上記カバー材は、基布自体が３層構造で構成されているために、従来のアイロン台のカバー材のようにクッション材となる不織布と表面材となる織物を積層することなくカバー材を構成できるので製造が容易であるという特徴、並びに洗濯をした場合に速やかに乾燥することができるという特徴も有する。
【０００９】
上記のスチームアイロン台においては、前記第１の多孔性基布層は、直径が０．５〜２．５ｍｍの円又は短軸長さが０．５〜２ｍｍの略楕円形の穴が規則的に形成された織物又は編物であることが好ましい。
【００１０】
係る構成によれば、アイロン掛け時にスチームアイロンの底面から噴出されるスチームがアイロン掛の対象である繊維製品を通過した後に容易に第１の多孔性基布層を通過し、カバー材構成基布の厚さ方向と幅方向の双方に拡散し、第２の多孔性基布層と多孔性の面材部を通じてアイロン台の裏面側へ透過すると共に、アイロンの接触していない第１の多孔性基布層を通じて上面にも抜け、極めて水蒸気透過性に優れたアイロン台が構成される。
【００１１】
上記のスチームアイロン台においては、前記第１の多孔性基布層が編物であり、前記第２の基布層がメリヤス編物であることが好ましい。
【００１２】
係る構成によれば、第１の基布層を、直径が０．５〜２．５ｍｍの円又は短軸長さが０．５〜２ｍｍの略楕円形の穴が規則的に形成された基布とすることが容易に行える。第１の多孔性基布層の穴は、織物ないし編物の構成糸状により形成されるものであり、拡大してみると糸の直線部が見えるが、商品展示の状態で見ると円ないし楕円に見えるものである。メリヤス編物は縦編、横編のいずれでもよい。
【００１３】
上記のスチームアイロン台においては、前記柱状配列糸状層の厚さが１〜３ｍｍであることが好ましい。
【００１４】
係る構成によれば、水蒸気透過性とクッション性のバランスのよいカバー材を構成することができる。柱状配列糸状層の厚さが１ｍｍ未満の場合、３ｍｍを超える場合のいずれにおいてもクッション性が低下する。即ち、柱状配列糸状層の厚さが１ｍｍ未満の場合、柱状配列糸状層を構成する糸状の曲げに対する柔軟性が低下し、３ｍｍを超えると柱状配列糸状層を構成する糸状の長さが長くなる結果柔軟になり過ぎる。
【００１５】
また上記のスチームアイロン台においては、前記カバー部材が、前記第１の多孔性基布層、前記第２の多孔性基布層及び前記柱状配列糸状層を同一の糸状にて２重組織により構成されたものであることが好ましい。
【００１６】
係る構成によれば、水蒸気透過性とクッション性の双方に優れたカバー材を低コストにて製造することができる。
【考案を実施するための最良の形態】
【００１７】
本考案のスチームアイロン台を構成する面材部はメッシュ状金属材、パンチングメタル、多孔性の樹脂板材等にて構成する。多孔性の樹脂板材は穴径が０．５〜１０ｍｍ、好ましくは１〜５ｍｍの穴が全面に形成されたパンチングメタル状のＡＢＳ樹脂、ポリプロピレン樹脂成形品などにて構成する。
【００１８】
本考案のアイロン台のカバー部材を構成する材を構成する繊維材料は、特に限定されるものではなく、ナイロン、ポリエステル、アクリル等を使用することができる。またカバー部材を構成する材を構成する繊維材料は、モノフィラメントであってもよく、紡績糸であってもよく、モノフィラメントと紡績糸を併用したものであってもよい。糸状の繊度は特に限定されるものではないが、柱状配列糸状層が必要なクッション性を発揮する観点より、１００〜５００ｄｔｅｘ、より好ましくは、１００〜４００ｄｔｅｘである。
【実施例】
【００１９】
本考案のスチームアイロン台の好適な形態を図１に例示した。スチームアイロン台１０は基台２４と該基台２４の面材部を被覆するカバー材２２とから構成される。基台２４は面材部と該面材部の下面に配設された脚１８とからなり、面材部はフレーム１２、長さ方向の補強材１４、幅方向の補強材１６、長さ方向の補強材１４と幅方向の補強材１６の上に配設されたメッシュ状の金属材２０とから構成されている。脚の形状は特に限定されるものではなく、公知の脚を使用することができる。一般には金属製のパイプを折り曲げたものが使用される。面材部並びに脚は、塗装した鋼材にて構成されていることが製造が容易で低コストであり、好ましい。
【００２０】
図２にはカバー材を構成する基布の断面を例示した。カバー材構成基布２２は上面、即ちアイロン掛の対象である繊維製品に接する面を構成する第１の多孔性基布層２６、下面を構成する第２の多孔性基布層２８及び第１の多孔性基布層２６と第２の多孔性基布層２８との間に立設された柱状配列糸状層３０とからなる。第１の多孔性基布層２６には、長軸長さ／短軸長さ比が約２の略楕円形の穴３２が規則的に形成されている。
【００２１】
スチームアイロンからアイロンがけ対象繊維製品に向けて噴射されたスチームは該繊維製品透過後に第１の多孔性基布層２６の穴３２を矢印Ａ方向に通過し、基布の厚さ方向下方に移動するスチームと基布の幅方向に移動するスチームとに分かれ、基布の厚さ方向下方に移動するスチームはカバー材２２の下面を構成する第２の多孔性基布層２８より面材部の穴を通じて裏面に抜け（矢印Ｂ方向）、基布の幅方向に移動するスチームは、移動後に第２の多孔性基布層２８より下方に抜ける（矢印Ｃ方向）。即ち、本考案のスチームアイロン台によれば、広範囲の面からスチームが抜けるという効果が得られる。
【００２２】
カバー材の第１の多孔性基布層の穴が楕円形の場合、その長軸長さ／短軸長さ比は、２．５以下であることが好ましい。編物で構成する場合に、長軸長さ／短軸長さ比が２．５を超える穴を形成することが困難となる。編物においては、古くからセーターなどにおいて穴を形成した編物が知られており、本考案のカバー材の第１の多孔性基布層は、該技術を使用して形成することができる。穴は第１の多孔性基布層をメリヤス編みで形成した後に形成する穴形状のピンを挿入してヒートセットして形成してもよい。
【図面の簡単な説明】
【００２３】
【図１】本考案のスチームアイロン台の好適な実施形態を例示した部分断面図を含む斜視図
【図２】本考案のスチームアイロン台のカバー材構成基布の構造を例示した断面図を含む斜視図
【符号の説明】
【００２４】
１０      スチームアイロン台
１２      フレーム
１４      長さ方向の補強材
１６      幅方向の補強材
１８      脚
２２      カバー材
２４      基台
２６      第１の多孔性基布層
２８      第２の多孔性基布層
３０      柱状配列糸状層
【図１】
0003130563.tif 000003
【図２】
0003130563.tif 000004